(57)【要約】【課題】  確実に所望のオブジェクトの選択及び確定を行う。【解決手段】  複数のオブジェクト２０２〜２０９のうちの例えばオブジェクト２０６上にカーソル２０１が位置合わせされたことをカーソル位置判別部１０１により判別する。そして、カーソル２０１が位置合わせされたオブジェクトの選択を示す選択指示情報を受けて当該オブジェクトが選択されたことをオブジェクト選択判別部１０５により判別するとともに、選択オブジェクトに隣接する隣接オブジェクトを隣接オブジェクト判別部１０６により判別する。オブジェクト確定判別部１０７は、隣接オブジェクトに対して間違って入力されようとした確定指示情報を、当該隣接オブジェクトに対する確定指示情報として受け付けない。【選択図】  図３
2005301788.tif 000002
【特許請求の範囲】
【請求項１】
複数のオブジェクト及びポインティングデバイスのカーソルを表示する表示手段と、
前記複数のオブジェクトのうちの一のオブジェクト上にカーソルが位置合わせされたことを判別する位置判別手段と、
前記カーソルが位置合わせされたオブジェクトの選択を示す選択指示情報を受けて当該オブジェクトが選択されたことを判別する選択判別手段と、
前記選択された選択オブジェクトに確定することを示す確定指示情報を受けて当該選択オブジェクトが確定されたことを判別する確定判別手段と、
前記選択オブジェクトに隣接する隣接オブジェクトを判別する隣接判別手段とを備え、
前記確定判別手段は、前記隣接判別手段によって判別された隣接オブジェクトに対する確定指示情報を、当該隣接オブジェクトに対する確定指示情報として受け付けないことを特徴とする情報処理装置。
【請求項２】
前記確定判別手段は、前記隣接判別手段によって判別された隣接オブジェクトに対する確定指示情報を、前記選択オブジェクト用の確定指示情報として受け付けることを特徴とする請求項１記載の情報処理装置。
【請求項３】
前記カーソルが位置合わせされたオブジェクトを拡大表示する拡大手段と、
前記複数のオブジェクトのうちの前記拡大表示された拡大オブジェクト以外の他オブジェクトが当該拡大オブジェクトの背後に隠れた状態になることを回避するべく、前記他オブジェクトの一部又は全部を所定方向に移動させる移動手段とをさらに備えることを特徴とする請求項１又は２記載の情報処理装置。
【請求項４】
前記拡大手段によるオブジェクトの拡大に伴って、前記選択指示情報及び確定指示情報の指示入力に関する入力範囲を、拡大前のオブジェクトのサイズから拡大オブジェクトのサイズまで拡大する範囲拡大手段とをさらに備えることを特徴とする請求項３記載の情報処理装置。
【請求項５】
前記拡大オブジェクトに関するオブジェクト情報を取得する取得手段をさらに備え、
前記表示手段は、当該取得したオブジェクト情報を表示することを特徴とする請求項３又は４記載の情報処理装置。
【発明の詳細な説明】
【技術分野】
【０００１】
本発明は、パーソナルコンピュータ等の情報処理装置に関し、特に、ウインドウシステムにおいて表示画面上にファイルやフォルダ等のオブジェクトの表示が可能な情報処理装置に関する。
【背景技術】
【０００２】
従来、パーソナルコンピュータ（ＰＣ）等の情報処理装置は、一般的に、ウインドウシステムによって表示画面上にファイルやフォルダ等のオブジェクトの表示がなされ、例えばマウス等のポインティングデバイスによりポインティングされることによって、具体的には、ポインティングデバイスのカーソルを表示画面上を移動させてオブジェクトに対する位置合わせを行い（カーソルをオブジェクト上に重ねて）、このオブジェクトの位置でクリックすることによって、当該オブジェクトが選択される構成となっている。この選択を行う際、オブジェクトのサイズ（幅寸法）が小さい場合などにおいては、オブジェクト上からカーソルが外れてしまったり、あるいは所望のオブジェクトと違うオブジェクトにカーソルの位置合わせがなされてしまうなどして、オブジェクトに対する位置合わせが上手く行えないといった問題があった。これに対し、例えば特許文献１では、上記位置合わせを行い易くするべく、カーソルがボタン（オブジェクトに相当）に近づくと、このボタンを拡大表示させるという技術が開示されている。
【特許文献１】特開平１１−８５４５３号公報
【発明の開示】
【発明が解決しようとする課題】
【０００３】
しかしながら、上記特許文献１に開示されている技術では、オブジェクトを拡大表示させて選択を行えるものの、例えば急いで操作しなければならない場合等において、当該オブジェクトを所定の選択動作により（例えばクリック動作により）選択した後、更にこのオブジェクトを所定の確定動作により（例えばダブルクリック動作により）確定する際に、間違って当該オブジェクトの隣接位置にあるオブジェクトに対して確定動作（上記ダブルクリック動作）を行うと、この間違えられたオブジェクトがそのまま選択又は確定されてしまうといった問題が依然として存在する。
【０００４】
本発明は上記問題に鑑みてなされたもので、ポインティングして確定しようとしているオブジェクトの隣接位置にあるオブジェクトが間違って選択又は確定されてしまうといったことなく、確実に所望のオブジェクトの選択及び確定を行うことができ、ひいてはポインティング操作時の操作性を向上することができる情報処理装置を提供することを目的とする。
【課題を解決するための手段】
【０００５】
本発明に係る情報処理装置は、複数のオブジェクト及びポインティングデバイスのカーソルを表示する表示手段と、前記複数のオブジェクトのうちの一のオブジェクト上にカーソルが位置合わせされたことを判別する位置判別手段と、前記カーソルが位置合わせされたオブジェクトの選択を示す選択指示情報を受けて当該オブジェクトが選択されたことを判別する選択判別手段と、前記選択された選択オブジェクトに確定することを示す確定指示情報を受けて当該選択オブジェクトが確定されたことを判別する確定判別手段と、前記選択オブジェクトに隣接する隣接オブジェクトを判別する隣接判別手段とを備え、前記確定判別手段は、前記隣接判別手段によって判別された隣接オブジェクトに対する確定指示情報を、当該隣接オブジェクトに対する確定指示情報として受け付けないことを特徴とする。
【０００６】
上記構成によれば、複数のオブジェクトのうちの一のオブジェクト上にカーソルが位置合わせされたことが位置判別手段によって判別される。そして、カーソルが位置合わせされたオブジェクトの選択を示す選択指示情報を受けて当該オブジェクトが選択されたことが選択判別手段によって判別され、この選択オブジェクトに隣接する隣接オブジェクトが隣接判別手段によって判別される。この隣接オブジェクトに対する確定指示情報（すなわち隣接オブジェクトに対して入力されようとした確定指示情報）は、当該隣接オブジェクトに対する確定指示情報として確定判別手段に受け付けられない。
【０００７】
また、前記確定判別手段は、前記隣接判別手段によって判別された隣接オブジェクトに対する確定指示情報を、前記選択オブジェクト用の確定指示情報として受け付けることが好ましい。これによれば、隣接オブジェクトに対する確定指示情報は、選択オブジェクトに対する確定指示情報として確定判別手段に受け付けられる。
【０００８】
また、前記カーソルが位置合わせされたオブジェクトを拡大表示する拡大手段と、前記複数のオブジェクトのうちの前記拡大表示された拡大オブジェクト以外の他オブジェクトが当該拡大オブジェクトの背後に隠れた状態になることを回避するべく、前記他オブジェクトの一部又は全部を所定方向に移動させる移動手段とをさらに備えることが好ましい。
【０００９】
これによれば、或るオブジェクトが拡大表示されると、残りのオブジェクトの一部又は全部が当該拡大オブジェクトの背後に隠れた状態とならないように所定方向に移動する。
【００１０】
また、前記拡大手段によるオブジェクトの拡大に伴って、前記選択指示情報及び確定指示情報の指示入力に関する入力範囲を、拡大前のオブジェクトのサイズから拡大オブジェクトのサイズまで拡大する範囲拡大手段とをさらに備えることが好ましい。これによれば、オブジェクトの拡大に伴って入力範囲も拡大する。
【００１１】
さらに、前記拡大オブジェクトに関するオブジェクト情報を取得する取得手段をさらに備え、前記表示手段は、当該取得したオブジェクト情報を表示することが好ましい。これによれば、拡大オブジェクトに関するオブジェクト情報が表示手段によって表示される。
【発明の効果】
【００１２】
請求項１記載の発明によれば、隣接オブジェクトに対する確定指示情報は、当該隣接オブジェクトに対する確定指示情報として確定判別手段に受け付けられない構成であるため、ポインティングした後（カーソルを所望のオブジェクト上に位置合わせしてクリックなどして選択した後）、確定させようとしているオブジェクト（選択オブジェクト）の隣接位置にあるオブジェクトが間違って選択又は確定されてしまうといったことなく、より確実に所望のオブジェクトの選択及び確定を行うことができ、ひいてはポインティング操作時の操作性を向上することができる。
【００１３】
請求項２記載の発明によれば、隣接オブジェクトに対する確定指示情報は、選択オブジェクトに対する確定指示情報として確定判別手段に受け付けられる構成であるため、確定させようとしているオブジェクト（選択オブジェクト）の隣接位置にあるオブジェクトからも、当該選択オブジェクトの確定指示情報の入力が行えるようになり、より容易に且つ確実に所望のオブジェクトの選択及び確定を行うことができる。
【００１４】
請求項３記載の発明によれば、カーソルが位置合わせされたオブジェクトが拡大されるため、いずれのオブジェクトがカーソルによって位置合わせされているかを確認し易くなり、すなわち視認性が向上し、オブジェクトの選択が確実に行えるようになる。また、拡大オブジェクトによってこれ以外の他オブジェクトが背後に隠れた状態になることを回避することができ、他オブジェクトがユーザによって視認されない、あるいは他オブジェクト上にカーソルの位置合わせが行えないといったことのないようにすることができる。
【００１５】
請求項４記載の発明によれば、入力範囲がオブジェクトの拡大に伴って拡大されるため、当該入力範囲からの選択指示情報又は確定指示情報の指示入力がより確実に行えるようになる。
【００１６】
請求項５記載の発明によれば、拡大オブジェクトに関する情報が表示手段によって表示されるため、ユーザに対して当該拡大オブジェクトを選択又は確定する際の判断情報を提供することができ、オブジェクトの誤選択又は誤確定の防止をより図ることができる。
【発明を実施するための最良の形態】
【００１７】
図１は、本発明の実施形態に係る情報処理装置の一例であるＰＣ１の概略構成を示すブロック図である。ＰＣ（パーソナルコンピュータ）１は、装置本体内に装置全体の動作制御を司る制御部１０を備える。制御部１０は、ＰＣ１の制御プログラム（ＯＳプログラム）等を記憶するＲＯＭ（Read Only Memory）、一時的にデータを格納するＲＡＭ（Random Access Memory）、及び上記制御プログラム等をＲＯＭから読み出して実行するＣＰＵ等からなり、後述するキーボード２やマウス３等において入力された所定の指示情報や、本装置の各所に設けられた各種センサからの検出信号に応じて装置全体の制御を行うものである。制御部１０には、キーボード２、マウス３、ディスプレイ４及びＨＤＤ（Hard Disk Drive）５などが接続されている。キーボード２は、アルファベット記号や数字等の各種キー群からなり、ユーザによる各種指示情報の入力を行うものである。マウス３は、後述のディスプレイ画面上に表示されたカーソルを当該マウス３の移動（マウス３下部のボールの回転）に伴って移動させたり、シングルクリック又はダブルクリック等のクリック動作により所定の指示情報の入力を行うものであり、所謂ポインティングデバイスである。以降、適宜、シングルクリックのことを単にクリックと表現する。ディスプレイ４は、ＣＲＴ（Cathode Ray Tube）モニタやＬＣＤ（Liquid Crystal Display）モニタからなる、所定の画面（画像）を表示する表示装置であり、ウインドウシステムにおけるウインドウ（ウインドウ画面）の表示、あるいはファイルやフォルダ等の複数のオブジェクト、及びマウス３のカーソル等の表示を行うものである。ＨＤＤ５は、ウインドウシステム上で作動する各種アプリケーションソフト用のプログラムや画像データ、音声データ等、種々のデータが記憶される記憶装置である。
【００１８】
制御部１０は、カーソル位置判別部１０１、オブジェクト拡大部１０２、入力範囲拡大部１０３、オブジェクト移動部１０４、オブジェクト選択判別部１０５、隣接オブジェクト判別部１０６、オブジェクト確定判別部１０７及びオブジェクト情報取得部１０８を備える。カーソル位置判別部１０１は、ディスプレイ４の画面（ディスプレイ画面）におけるカーソルの位置（座標位置）を判別するとともに、ディスプレイ画面に表示された複数のオブジェクトのうちの或るオブジェクト上にカーソルが位置合わせされたこと、すなわち、カーソルによって複数のオブジェクトのうちの何れのオブジェクトが指し示されているかを判別するものである。
【００１９】
オブジェクト拡大部１０２は、カーソルが位置合わせされたオブジェクトをディスプレイ４（ディスプレイ画面上）に拡大表示させるものである。なお、オブジェクトの拡大は、予め設定されている拡大率に基づいて行われてもよい。この場合、例えば、元のオブジェクトサイズの例えば２倍（例えば各寸法が２倍）に拡大されるといった構成になっている。
【００２０】
入力範囲拡大部１０３は、オブジェクト拡大部１０２によるオブジェクトの拡大に伴って（当該拡大されたオブジェクトを、以降、拡大オブジェクトという）、マウス３の例えばクリックによる選択指示情報、及び例えばダブルクリックによる確定指示情報の指示入力に関する入力範囲を、拡大される以前のオブジェクトのサイズから、拡大オブジェクトのサイズまで拡大させるものである。これにより、拡大オブジェクト上のいずれの位置においても選択指示情報及び確定指示情報の入力が可能となる。
【００２１】
オブジェクト移動部１０４は、複数のオブジェクトのうちの上記拡大表示された拡大オブジェクト以外の他のオブジェクトが、当該拡大オブジェクトの背後に隠れた状態になることを回避するべく、当該他のオブジェクトの一部又は全部をディスプレイ画面上における所定方向、例えば上下左右あるいは斜め方向へ移動させる（他オブジェクトの位置をずらす）ものである。
【００２２】
オブジェクト選択判別部１０５は、カーソルが位置合わせされたオブジェクトの選択を示す選択指示情報を受けて当該オブジェクトが選択されたことを判別するものである。選択されたオブジェクトのことを、以降、選択オブジェクトという。カーソルが位置合わせされたオブジェクトの選択は、例えば或るオブジェクト上にカーソルを位置合わせし、このオブジェクト上で例えばクリックすることによって行う。オブジェクト選択判別部１０５は、当該選択オブジェクトの色を、背景の色（例えば選択オブジェクトが表示されているウインドウの色）と異なる色に変化させて（切り替えて）表示させる構成であってもよい。これにより、選択されたオブジェクトの確認が容易となり、オブジェクトの誤選択がより防止される。
【００２３】
隣接オブジェクト判別部１０６は、複数のオブジェクトのうちの、上記選択オブジェクトに隣接する隣接オブジェクトを判別するものである。隣接オブジェクトは、拡大オブジェクトの上下左右あるいは斜め方向など、いずれの方向の位置に隣接するオブジェクトであってもよい。
【００２４】
オブジェクト確定判別部１０７は、選択オブジェクトに確定することを示す確定指示情報を受けて当該選択オブジェクトが確定されたことを判別するものである。選択オブジェクトに確定するとは、例えば上述のようにクリックによって選択された選択オブジェクトを、最終的に所定の処理動作を実行させる対象として確定させることであり、確定されると、この確定されたオブジェクト（例えばオブジェクトがファイルである場合）がウインドウとして開いたり、オブジェクト（例えばオブジェクトが或るアプリケーションの起動用アイコン（ショートカットアイコン）である場合）に対応するアプリケーションソフトが起動したりする。
【００２５】
オブジェクト確定判別部１０７は、隣接オブジェクト判別部１０６によって判別された隣接オブジェクトに対する確定指示情報を、当該隣接オブジェクトに対する確定指示情報として受け付けずに、選択オブジェクト用の確定指示情報として受け付けるものである。
換言すれば、オブジェクト確定判別部１０７は、選択オブジェクトに対する入力範囲を当該選択オブジェクトの隣接オブジェクトにまで及んで拡大させるものであると言える。
【００２６】
具体的には、選択オブジェクト（拡大オブジェクト）に対して例えばダブルクリックを行うことにより当該選択オブジェクトに確定しようとして、選択オブジェクトに対する隣接オブジェクト上をダブルクリックしてしまったとしても、オブジェクト確定判別部１０７は、この隣接オブジェクト上でのダブルクリックによる確定指示情報を、隣接オブジェクトに対する確定指示情報として受け付けずに（扱わずに）、選択オブジェクト用の確定指示情報として受け付ける（扱う）。すなわち、オブジェクト確定判別部１０７は、隣接オブジェクト上でのダブルクリックによる確定指示情報が、選択オブジェクト用の確定指示情報であるとの判別を行う。
【００２７】
オブジェクト情報取得部１０８は、拡大オブジェクトに関するオブジェクト情報を取得するとともに、このオブジェクト情報をディスプレイ４に表示させるものである。具体的には、オブジェクト情報取得部１０８は、或るオブジェクト上にカーソルが位置合わせされるのと略同時に、当該位置合わせされた拡大オブジェクトのオブジェクト情報、例えば拡大オブジェクトがファイルであったとすると、当該ファイルのファイルサイズ、更新日時、ファイルの内容等の情報をディスプレイ画面上の所定位置（領域）、例えば拡大オブジェクトが表示されている同じウインドウ内の端部位置に表示させる。なお、上記オブジェクト情報は、各オブジェクトに対応付けて例えばＨＤＤ５に記憶されていてもよいし、オブジェクト情報取得部１０８自身あるいは制御部１０に記憶されていてもよい。
【００２８】
ここで、ディスプレイ画面上に表示されたオブジェクトの選択、確定に関する動作について説明する。図２は、オブジェクト選択及び確定時のディスプレイ画面の一例を示す図であり、図３は、図２におけるディスプレイ画面の部分拡大図である。まず、図２に示すように、ディスプレイ画面２０上にウインドウ２１及びマウス３のカーソル２０１が表示され、このウインドウ２１内に複数のオブジェクト２０２〜２０９（具体的には、例えばファイルであり、ファイルに関するアイコン及びこのファイル名等の情報が併記されてなるもの）が表示されているとする。このカーソル２０１をマウス３の操作に応じてディスプレイ画面２０上を移動させ、カーソル２０１がオブジェクト２０２〜２０９に対して位置合わせされると、当該位置合わせされたオブジェクトが拡大表示されるのとともに、例えば符号２１０に示す表示領域（オブジェクト情報表示領域２１０）に、当該位置合わせされたオブジェクトの情報が表示され、また、このオブジェクトの拡大表示に応じて入力範囲も拡大される。
【００２９】
これらオブジェクト２０２〜２０９のうち所望のオブジェクト（ここでは、オブジェクト２０６とする）上までカーソル２０１を移動させ、この状態で選択指示情報の入力としてクリックすると、図３に示すように、拡大表示されたオブジェクト２０６が選択されるとともに、このオブジェクト２０６より下方に存在するオブジェクト２０７〜２０９が拡大されたオブジェクト２０６によって背後に隠れてしまわないように、符号Ａで示す矢印方向（下方向）にずれて移動される。ただし、この場合は、オブジェクト２０２の上方がウインドウ２１の端辺となっており、上方向への移動が困難であるため、オブジェクト２０７〜２０９の下方向への移動が行われている。当該上方向への移動が可能である場合には、オブジェクト２０２〜２０５を上方向へ移動させてもよい（オブジェクト２０２〜２０５の上方向への移動、オブジェクト２０７〜２０９の下方向への移動を同時に行ってもよい）。なお、オブジェクト２０６が選択されると、オブジェクト２０６の色がウインドウ２１の背景色と異なる色に変化する。また、入力範囲の拡大時には、例えば図２に示す拡大前のオブジェクト２０６のサイズ（ここでは、図２に示すオブジェクト２０２の縦及び横寸法）から、図３に示す拡大されたオブジェクト２０６のサイズまで拡大される。
【００３０】
オブジェクト２０６が選択されると、この選択されたオブジェクト２０６の隣接オブジェクトとしてオブジェクト２０５及びオブジェクト２０７が判別される。ユーザは、この選択されたオブジェクト２０６に確定するべく、オブジェクト２０６上にカーソル２０１を位置合わせして確定指示情報の入力としてダブルクリックを行おうとして、間違ってオブジェクト２０５又はオブジェクト２０７上にカーソル２０１を移動（位置合わせ）してしまい、この状態でダブルクリックしてしまうことがあるが、この場合、オブジェクト２０５又は２０７上でのダブルクリックによる入力（確定指示情報）を、オブジェクト２０５又は２０７に対するものとして受け付けずに、オブジェクト２０６に対するものとして受け付ける。これにより、隣接するオブジェクト２０５又は２０７を誤操作によりダブルクリックしてしまったとしても、確定させるオブジェクトをオブジェクト２０６とすることが可能となる。
【００３１】
なお、図３に示すオブジェクト２０６が選択された状態から、当該オブジェクト２０６の確定を行わず（オブジェクト２０６、又は隣接するオブジェクト２０５、２０７に対するダブルクリックを行わず）、オブジェクト２０５（２０７）上でシングルクリックして、当該オブジェクト２０５（２０７）を選択することも可能である。この場合、オブジェクト２０５（２０７）が拡大表示されて色が変化するとともに、オブジェクト２０５（２０７）以外のオブジェクトの一部又は全部が移動する。隣接するオブジェクト２０５、２０７以外のオブジェクトに対する同様の選択動作が行えることは言うまでもない。
【００３２】
図４は、隣接オブジェクトに対する確定指示情報の誤入力を行った場合に関する動作の一例を示すフローチャートである。まず、ディスプレイ４（ディスプレイ画面２０）に複数のオブジェクト（例えばオブジェクト２０２〜２０９）及びカーソル２０１が表示される（ステップＳ１）。ディスプレイ画面２０上におけるカーソル２０１の位置（座標位置）が判別されるとともに、複数のオブジェクトのうちの何れのオブジェクトに、カーソル２０１が位置合わせされているかがカーソル位置判別部１０１によって判別される（ステップＳ２）。次に、カーソル２０１が位置合わせされたオブジェクトが拡大され（ステップＳ３）、上記ステップＳ３におけるオブジェクトの拡大に応じて入力範囲拡大部１０３により入力範囲が拡大される（ステップＳ４）。そして、オブジェクト情報取得部１０８によって、拡大オブジェクトに関するオブジェクト情報が例えばＨＤＤ５から取得されるとともに（ステップＳ５）、ディスプレイ４（ディスプレイ画面２０の例えばオブジェクト情報表示領域２１０）に当該オブジェクト情報が表示される（ステップＳ６）。拡大オブジェクト以外の他のオブジェクトの一部又は全部がオブジェクト移動部１０４によって所定方向に移動される（ステップＳ７）。
【００３３】
カーソル２０１が位置合わせされたオブジェクト（例えばオブジェクト２０６）の選択を示すクリックによる選択指示情報を受けて当該オブジェクトが選択されたことがオブジェクト選択判別部１０５によって判別され（ステップＳ８）、この選択オブジェクトに隣接する隣接オブジェクト（例えばオブジェクト２０５、２０７）が隣接オブジェクト判別部１０６によって判別される（ステップＳ９）。そして、隣接オブジェクト（例えばオブジェクト２０５又は２０７）に対する確定指示情報が、オブジェクト確定判別部１０７に、当該隣接オブジェクトに対する確定指示情報として受け付けられずに、選択オブジェクト（オブジェクト２０６）用の確定指示情報として受け付けられ（ステップＳ１０）、当該オブジェクト確定判別部１０７によって当該選択オブジェクトが確定されたことが判別される（ステップＳ１１）。
【００３４】
以上のように本発明の情報処理装置によれば、隣接オブジェクトに対する確定指示情報は、当該隣接オブジェクトに対する確定指示情報としてオブジェクト確定判別部１０７に受け付けられない構成であるため、ポインティングした後（カーソル２０１を所望のオブジェクト上に位置合わせしてクリックなどして選択した後）、当該確定させようとしている選択オブジェクト（例えばオブジェクト２０６）の隣接位置にある隣接オブジェクト（例えばオブジェクト２０５又は２０７）が間違って選択又は確定されてしまうといったことなく、より確実に所望のオブジェクト（オブジェクト２０６）の選択及び確定を行うことができ、ひいてはポインティング操作時の操作性を向上することができる。
【００３５】
また、隣接オブジェクトに対する確定指示情報は、選択オブジェクトに対する確定指示情報としてオブジェクト確定判別部１０７に受け付けられる構成であるため、当該確定させようとしている選択オブジェクト（例えばオブジェクト２０６）の隣接位置にある隣接オブジェクト（例えばオブジェクト２０５又は２０７）からも、当該選択オブジェクトの確定指示情報の入力が行えるようになり、より容易に且つ確実に所望のオブジェクト（オブジェクト２０６）の選択及び確定を行うことができる。
【００３６】
また、カーソル２０１が位置合わせされたオブジェクト（例えばオブジェクト２０６）が拡大されるため、いずれのオブジェクトがカーソルによって位置合わせされているかを確認し易くなり、すなわち視認性が向上し、オブジェクトの選択が確実に行えるようになる。また、拡大オブジェクト（例えばオブジェクト２０６）によってこれ以外の他オブジェクト（オブジェクト２０２〜２０５、オブジェクト２０７〜２０９）がこの拡大オブジェクトの背後に隠れた状態で表示されることを回避することができ、他オブジェクトがユーザによって視認されない、あるいは他オブジェクト上にカーソル２０１の位置合わせが行えないといったことのないように各オブジェクトをディスプレイ画面２０（ウインドウ２１）上に表示することができる。
【００３７】
また、入力範囲がオブジェクトの拡大に伴って拡大されるため、当該入力範囲からの選択指示情報又は確定指示情報の指示入力がより確実に行えるようになる。さらに、拡大オブジェクト（例えばオブジェクト２０６）に関する情報がディスプレイ画面２０（ウインドウ２１）上に表示されるため、ユーザに対して当該拡大オブジェクトを選択あるいは確定する際の判断情報を提供することができ、オブジェクトの誤選択又は誤確定の防止をより図ることができる。なお、本発明は、以下の態様をとることができる。
【００３８】
（Ａ）本発明は、ＰＣ１に限らず、オブジェクト等が表示される表示部を備え、当該オブジェクトの選択や確定を行う情報処理装置であればいずれの装置に対しても適用可能である。
【００３９】
（Ｂ）ポインティングデバイスとしてマウス３の代わりにトラックボールや、上記ノートパソコン等に設けられたタッチパッドを用いてもよい。
【００４０】
（Ｃ）ディスプレイ画面上のカーソルの移動をマウスの移動操作によって行わずともよく、例えばキーボードの上下左右方向への移動用キー等の操作によって行ってもよい。
【００４１】
（Ｄ）オブジェクトの拡大表示が、オブジェクトが選択された時点（或るオブジェクト上のカーソルを位置合わせして、さらにこのオブジェクト上でシングルクリックした時点）で行われる構成であってもよい。
【図面の簡単な説明】
【００４２】
【図１】本発明の実施形態に係る情報処理装置の一例であるＰＣの概略構成を示すブロック図である。
【図２】オブジェクト選択及び確定時の表示画面の一例を示す図である。
【図３】図２における表示画面の部分拡大図である。
【図４】隣接オブジェクトに対する確定指示情報の誤入力を行った場合に関する動作の一例を示すフローチャートである。
【符号の説明】
【００４３】
１  ＰＣ（情報処理装置）
２  キーボード
３  マウス（ポインティングデバイス）
４  ディスプレイ（表示手段）
５  ＨＤＤ
１０  制御部
１０１  カーソル位置判別部（位置判別手段）
１０２  オブジェクト拡大部（拡大手段）
１０３  入力範囲拡大部（範囲拡大手段）
１０４  オブジェクト移動部（移動手段）
１０５  オブジェクト選択判別部（選択判別手段）
１０６  隣接オブジェクト判別部（隣接判別手段）
１０７  オブジェクト確定判別部（確定判別手段）
１０８  オブジェクト情報取得部（取得手段）
２０  ディスプレイ画面
２１  ウインドウ
２０１  カーソル
２０２〜２０９  オブジェクト
２０５、２０７  隣接オブジェクト
２０６  拡大オブジェクト、選択オブジェクト
２１０  オブジェクト情報表示領域
【図１】
2005301788.tif 000003
【図２】
2005301788.tif 000004
【図３】
2005301788.tif 000005
【図４】
2005301788.tif 000006